(57)【特許請求の範囲】
【請求項１】
座便器に取り付けられた取付板（１）と、
中央に垂直方向の撒水孔（３１）を設け、外周面に多数の撒水溝（３３）を設けた噴射具（３６）と、
当該噴射具（３６）に螺合されたキャップ（３５）と、
からなるビデであって、
当該撒水孔（３１）から噴射された水が外周面の撒水溝（３３）に沿って噴射された水と合わせられるように構成された噴射ノズル（３０）と、
当該取付板（１）にヒンジ結合され、端部に当該噴射ノズル（３０）が取り付けられたアーム（１０）と、
当該噴射ノズル（３０）に水を供給する給水管（１３）と、
当該給水管（１３）の開閉を調節することにより、水圧を任意の強さに調節する水圧調節装置（５０）と、
を含むことを特徴とするビデ。
【請求項２】
前記水圧調節装置（５０）は、貫通孔付き弁球（５６）と、当該弁球（５６）に結合される水圧調節ノブ（５５）と、当該水圧調節ノブ（５５）に結合され、当該弁球（５６）を回転させる水圧調節レバー（４５）と、から構成されることを特徴とする請求項１に記載のビデ。
【請求項３】
前記給水管（１３）には、流入路（６２）と排出路（６３）が分離されており、且つ当該流入路（６２）に浄水フィルタ（６１）を設置した浄化装置（６０）が取り付けられていることを特徴とする請求項１に記載のビデ。
【発明の詳細な説明】
【０００１】
【発明の属する技術分野】
本発明はビデ（ｂｉｄｅｔ）あるいは便器ノズルシャワー（本発明において単に「ビデ」という。）に関し、より詳細には水圧調整が簡単で、浄化された水が使用できる上、浣腸など医学的な利用も可能なビデに関する。
【０００２】
【従来の技術】
一般に、洋式便器に取り付けられるビデは、洋式便器の台座内に設けられるノズルで水を噴射し、用便の後トイレットペーパーを使わずに水で洗えるようにされたものであり、洋式便器の台座に取り付けられる台板と、当該台板の下方に取り付けられるノズルと、当該台板の一側に備えられ、水道管に連結されて当該ノズルに水を供給する洗浄水供給管とから構成されている。そして、台板の一側に設けられた一対のプラケットを洋式便器の台座に螺合して取り付ける。
【０００３】
ところで、このような従来のビデはノズルが台板に固着されるので、噴射ノズルが常に当初設置されたままの状態で固定されている。このため利用者が自分の体型や洋式便器の使用習慣に合わせて洗浄水の噴射方向を任意に調節して使用できないという問題点がある。
【０００４】
さらに、最近は水道水に含まれた汚染物質または水道管の錆などによって汚染された水を供給する場合が多くなり、ビデに用いられる水道水を浄化する必要性が増加しつつある。
【０００５】
ビデの衛生上の利点に伴い、最近はビデを本質的な機能の他に浣腸などの如く医学的に利用しようとする関心が高まっている。
【０００６】
ところが、このような医療的使用において、従来ではボタンタイプによって洗浄水の水圧調節を行っていたが、これは水圧が単に高圧、中圧、低圧などの不連続的な段階にのみ調節可能であった。そのため洗浄水の水圧に敏感な利用者には適正の水圧を提供できないという問題点や、指の使用に困る患者は所望のボタンを押さえることができないという問題点などがあった。
【０００７】
【発明が解決しようとする課題】
本発明はかかる従来技術の問題点を解決するためのものであり、その目的は個人の体型や洋式便座の使用習慣に応じて噴射ノズルの位置を任意に調節することができるとともに、浄化された水を用いることにより爽快な気分にする新しい構造のビデを提供することにある。
【０００８】
本発明の他の目的は、上記ビデにおいて洗浄水の水圧を簡便かつ連続的に調節することにより、利用者に適正の水圧を提供する水圧調節装置を備え、噴射ノズルの出口からの洗浄水に中央集中式気泡を発生するようにし、高水圧で効率良く浣腸などの医学的利用を可能にするビデを提供することにある。
【０００９】
【課題を解決するための手段】
上記目的を達成するために、本発明のビデは、座便器に取り付けられた取付板と、中央に垂直方向の撒水孔を設け、外周面に多数の撒水溝を設けた噴射具と、当該噴射具に螺合されたキャップと、からなるビデであって、当該撒水孔から噴射された水が外周面の撒水溝に沿って噴射された水と合わせられるように構成された噴射ノズルと、当該取付板にヒンジ結合され、端部に当該噴射ノズルが取り付けられたアームと、当該噴射ノズルに水を供給する給水管と、当該給水管の開閉を調節することにより、水圧を任意の強さに調節する水圧調節装置と、を含むことを特徴とする。
【００１０】
【発明の実施の形態】
以下、本発明の好適な実施形態について、添付図面に基づいて詳細に説明する。
【００１１】
図１は本発明に係るビデを示す斜視図である。図１を参照すれば、取付板１は座便器にボルトなどの結合手段によって容易に取り付けられるように凹部３が設けられており、一端には水圧調節弁装置５０が取り付けられており、前部には噴射ノズル３０付きアーム１０がヒンジ結合されている。
【００１２】
一方、噴射ノズル３０と水圧調節弁装置５０とを連結する給水管１３には、利用者がよりきれいな水を使用できるように浄水装置６０が設置されている。
【００１３】
図２は本発明に係るビデの噴射ノズルの動作を示す図である。本発明の噴射ノズル３０は、利用者の利用状態または体型に応じて、例えば用便時や浣腸時などに合わせてボス部３０ａを中心として、上下角度の調整を行うことができる。
【００１４】
取付板１の環部５とビデのボス部３０ａとが嵌合されているので、気密状態で噴射ノズル３０を上、下に移動させることができるとともに、角度が調整された状態で位置固定をすることができる。
【００１５】
図２に示すように、給水管１３から流れ出た洗浄水は、ボス部３０ａ内において軸部７の占有空間を除いたドーナツ状断面の内部空間を流れるので、噴射ノズル３０を任意の角度で旋回させても、その流れが妨害されることなく、常に一定の流量を保持することができる。
【００１６】
図３は本発明に係るビデの噴射ノズルの分解斜視図である。噴射具３６の真中には洗浄水を垂直方向に噴出する中央撒水孔３１が設けられ、噴射具３６の外周面には数個の外周撒水溝３３と排出口３４が設けられている。
【００１７】
噴射具３６と結合されるキャップ３５は、下側内周面にねじ部が設けられているため、噴射具３６の下側外周面のねじ部に結合される。キャップ３５の上部内周面が噴射具３６の上部外周面と同角度で傾斜しているため、噴射具３６とキャップ３５同士は相互密着される。従って、完全に組み立てられた噴射ノズル３０の断面は、中央に１つの中央撒水孔３１があり、その周囲を数個の外周撒水溝３３が円形に取り囲む形状である。
【００１８】
図４は本発明に係るビデの噴射ノズルの断面図である。給水管からの水は噴射具３６の中央に集水された後、中央撒水孔３１から噴射されるとともに排出口３４へ圧送される。
【００１９】
この際、排出口３４に圧送された洗浄水は、さらに噴射具３６とキャップ３５との間に設けられた外周散水溝３３に沿って噴射され、中央撒水孔３１からの水筋と合わせられる。
【００２０】
なお、噴射具３６への流入路の直径は５ｍｍ、中央撒水孔３１の直径は１．２ｍｍ程度が好ましく、外周撒水溝３３付き面の傾斜角はノズル部３０の中心軸に対して４５°内外が好ましい。外周撒水溝３３の直径は０．７ｍｍ程度が好ましく、外周撒水溝３３の個数は５個〜６個程度が好ましい。しかし、これは本発明の１つの実施形態にすぎず、外周撒水溝３３の個数及び傾斜角を限定するものではない。
【００２１】
図５は噴射ノズル３０から洗浄水が噴出された状態を示す図である。図５に示すように、給水管１３から洗浄水が供給されると、噴射ノズル３０の内周壁に円形を成している多数の水筋が外周撒水溝３３に沿って傾斜面を上ってきて中央撒水孔３１からの水筋に衝突する。この際、傾いている外周撒水溝３３に沿って噴出された水は、噴射具３６の上端から３ｃｍ程度離れた地点で中央撒水孔３１から垂直方向に噴出された水筋と合わせられる。この場合、数本の水筋は互いに合わせられた地点から気泡を形成しながら高速回転するが、中央に集中された回転する水筋は利用者の所望する部位を高速に洗浄することができ、水圧を高めると、利用者の直腸内まで洗浄水Ｗが入り強い便意を起こして直腸内の大便とガスを排出することができる。また、水筋相互間の衝突によって発生した気泡は、水筋を柔らかくすることにより、使用時に水圧を最高に上げても水筋と衝突する肛門部位には痛みが発生せず、水滴が飛散しないようにすることができる。そして、水の体感温度変化を鈍化させることにより、寒い冬にも利用者が局所部位に寒さを感じないでビデを使用できるという利点がある。
【００２２】
図６は本発明に係るビデの階段式水圧調節レバーを示す図である。本発明では洗浄水の水圧を調節するために簡単な機械式構造を取るが、柔らかい低水圧から強力な高水圧まで利用者の目的に合わせて簡単に操作できるようにした。さらに、本発明は実質的に切れ目なく水圧調節が可能である。すなわち、水圧調節レバーが回転するに連れて給水管の開度が増減して水圧が調節される。これは老弱者または体の不自由な人も便利に利用できるようにしたものであり、水圧調節レバー４５が一側ＳＬから他側ＳＴに移行するほど、洗浄水の水圧は増加または減少する。参照符号ＳＭは中間水圧を示す。
【００２３】
図７は本発明に係るビデの水圧調節弁の分解斜視図である。洗浄水は弁入口５１を介して流入し、水圧調節弁本体５０によって水圧が調節された後、弁出口５２から排出され、引き続き噴射ノズル３０に圧送される。水圧調節弁の水圧調節ノブ５５は、水圧調節レバー（図６の参照符号４５）の一端に結合された回転軸（図６の参照符号５５ａ）の後面に挿入される。水圧調節ノブ５５は水圧調節弁の胴体内部に位置している弁球５６と連結されている。弁球５６は、中央が円柱状に貫かれており、水圧調節弁の内部を流れる洗浄水の流路を隔てている。水圧調節レバー４５を図６に示すように前後方向に旋回移動させると、水圧調節レバー４５の一端に結合されている回転軸５５ａとともに水圧調節ノブ５５が旋回し、これにより弁球５６が回転することになる。弁球５６が回転するに連れて弁球５６の孔の開度が増減し、これにより洗浄水の吐出量が変化して水圧が調節される。
【００２４】
一方、弁球５６の上下には弁球の円滑な動きのためにＯリング５７が設けられている。
【００２５】
本発明では、洗浄水を浄水するための浄水装置を備えるが、このような浄水装置は、通常の浄水フィルタと同様のもので、給水管の一側、または給水管とカップリングとの連結部位などに設置することが好ましい。
【００２６】
洗浄水に含まれた汚染物質または水道管の錆などによって汚染された水が供給されると、利用者の健康に悪影響を与えるおそれもあり且つ本発明の一目的、すなわち医学的な用途で使用することができないので、本発明に用いられる洗浄水は浄水された洗浄水を用いることが非常に好ましい。
【００２７】
図８は本発明に係るビデの浄水装置の浄水原理を示す図である。浄水装置６０の内部は、洗浄水を流入するための流入路６２と洗浄水を圧送するための排出路６３とが分離されており、流入路６２の端部に、洗浄水を浄化する浄水フィルタ６１が取り付けられている。従って、流入路６２からの洗浄水は、浄水フィルタ６１を通過して排出路６３へ圧送されるので、常に浄化された洗浄水を得ることができる。
【００２８】
図９は本発明に係るビデの使用状態図である。図９に示すように、本発明に係るビデ装置は、座便器４０にカバー４１を取り付けるためのボルト部材４３によって、座便器４０とカバー４１とが一体に結合される。
【００２９】
給水管１３は給水ラインに連結され、水圧を調節する水圧調節装置５０に連結されている。従って、本発明に係るビデは水圧調節レバー４５の操作による適正水圧状態で水を噴射することになる。
【００３０】
この際、噴射ノズル３０は上、下高さの調節を行うことができ、利用者の体型及び目的に合わせてその角度を調整することができる。
【００３１】
なお、上述の本発明のビデは金属あるいは合成樹脂材質で製作されるが、その材質が本発明を限定するのではなく、同機能を行えるものであれば他の材質であってもよい。
【００３２】
以上、本発明に係る実施形態について説明したが、好適な実施形態を例示したものにすぎず、本発明はこれら実施形態に限定されることなく、特許請求の範囲に記載された発明の範囲内で、様々の変形が可能であり、それらも本発明の範囲内に含まれるものであることはいうまでもない。
【００３３】
【発明の効果】
以上述べたように、本発明によれば、個人の体型または習慣に合わせて噴射ノズルの位置を調節することができ、浄化された水を使用することができるという長所がある。
【００３４】
さらに、階段式水圧調節レバーを使用するので、ビデの水圧調節が便利であり、水圧の強弱調節によって洗浄の用途の他に浣腸などのような医学の利用が可能である。
【図面の簡単な説明】
【図１】本発明に係るビデの斜視図である。
【図２】本発明に係るビデの噴射ノズルの位置調節を示す図である。
【図３】本発明に係るビデの噴射ノズルの分解斜視図である。
【図４】本発明に係るビデの噴射ノズルの断面図である。
【図５】本発明に係るビデの噴射ノズルから洗浄水が噴出された状態を示す図である。
【図６】本発明に係るビデの階段式水圧調節レバーを示す図である。
【図７】本発明に係るビデの水圧調節弁の分解斜視図である。
【図８】本発明に係るビデの浄水装置の浄水原理を示す図である。
【図９】本発明に係るビデの使用状態図である。
【符号の説明】
１  取付板
３  凹部
５  環部
７  軸部
１０  アーム
１３  給水管
３０  噴射ノズル
３０ａ  ボス部
３１  撒水孔
３３  撒水溝
３４  排出口
３５  キャップ
３６  噴射具
４０  座便器
４１  カバー
４３  ボルト部材
４５  水圧調節レバー
５０  水圧調節装置
５１  弁入口
５２  弁出口
５５  水圧調節ノブ
５５ａ  回転軸
５６  弁球
５７  Ｏリング
６０  浄化装置
６１  浄水フィルタ
６２  流入路
６３  排出路
Ｗ  洗浄水
【図１】
0003576131.tif 000002
【図２】
0003576131.tif 000003
【図３】
0003576131.tif 000004
【図４】
0003576131.tif 000005
【図５】
0003576131.tif 000006
【図６】
0003576131.tif 000007
【図７】
0003576131.tif 000008
【図８】
0003576131.tif 000009
【図９】
0003576131.tif 000010